(57)【要約】【目的】サブミラーで反射するＡＦ用被写体光の進行方向がミラーボックス下面と直交しない一眼レフカメラにおいて、ミラーボックスに支持されるＡＦ用モジュールの位置調節方向をＡＦ用被写体光の進行方向に一致させることのできるＡＦモジュール取付装置を得る。【構成】従来ミラーボックス下面に直接取り付けられていたＡＦモジュールを、該ミラーボックスとは別体の取付ブラケットを介して取り付ける一眼レフカメラのＡＦモジュール取付装置。【選択図】  図３
2004157212.tif 000002
【特許請求の範囲】
【請求項１】
メインミラーにハーフミラー部を設け、このハーフミラー部を透過したＡＦ用被写体光をサブミラーを介してミラーボックス下面に取付固定したＡＦモジュールに導く一眼レフカメラにおいて、
上記ミラーボックスとは別体からなるＡＦモジュール取付調整枠を設け、
該ＡＦモジュール取付調整枠をミラーボックス下面に固定し、
上記ＡＦモジュールを有するＡＦモジュールユニットをこのＡＦモジュール取付調整枠に固定したことを特徴とする一眼レフカメラのＡＦモジュール取付装置。
【請求項２】
請求項１記載の一眼レフカメラのＡＦモジュール取付装置において、
上記ＡＦモジュール取付調整枠は、ミラーボックス下面に固定された状態で、サブミラーを介して反射されるＡＦ用被写体光と平行な方向を向く雌ねじ穴を有する複数のガイドボスを有し、
上記ＡＦモジュールユニットは、上記複数のガイドボスの雌ねじ穴に螺合する固定調整ねじを支持するねじ座を有していて、ＡＦモジュールは、その入射光軸を上記固定調整ねじの軸と平行にして該ＡＦモジュールユニットに支持されており、
上記複数のガイドボスとねじ座との間に圧縮ばねが挿入されている一眼レフカメラのＡＦモジュール取付装置。
【請求項３】
請求項１または２記載の一眼レフカメラのＡＦモジュール取付装置において、サブミラーにより反射されるＡＦ用被写体光は撮影光軸に対して直交していない一眼レフカメラのＡＦモジュール取付装置。
【発明の詳細な説明】
【０００１】
【技術分野】
本発明は、一眼レフカメラのＡＦモジュール取付装置に関する。
【０００２】
【従来技術及びその問題点】
ＡＦ一眼レフカメラでは、被写体焦点情報（デフォーカス情報）を得るため、メインミラー（クイックリターンミラー）の一部にハーフミラー部を設け、このハーフミラー部を透過したＡＦ用被写体光をサブミラーを介してＡＦモジュールに導いている。従来のサブミラーは、撮影光軸と略直交する下方にＡＦ用被写体光を曲げるように角度設定されており、ＡＦモジュールは、直方体状をなすミラーボックス下面に上下方向に位置調節可能に取付固定されていた。すなわち、ＡＦモジュールの位置調節方向はＡＦ用被写体光の進行方向と同一方向であり、ＡＦモジュールの位置調整により、正しくＡＦ用被写体光をＡＦモジュールに入射させることができた。
【０００３】
ところが最近、縦方向にＡＦ測距エリアを広げるために、サブミラーが長くなる傾向にあり、サブミラーとフォーカルプレンシャッタとの干渉を避けるため、サブミラーで反射したＡＦ用被写体光を撮影光軸と直交する垂直下方に屈曲させずにやや前方に屈曲させることが行われている。
【０００４】
このようにＡＦ用被写体光を斜めに、つまり撮影光軸（ミラーボックス下面）に直交しない方向に屈曲させると、ＡＦ用被写体光の進行方向と、ＡＦ用モジュールの位置調節方向とが一致しないこととなる。ＡＦ用被写体光の進行方向の垂直方向からのずれが小さい段階では、この不一致は大きな問題ではなかったが、垂直方向からのずれが大きくなるに従い、この不一致によりＡＦ用モジュールに正しくＡＦ用被写体光を入射させる調整が困難になってきた。
【０００５】
【発明の目的】
本発明は、以上の問題意識に基づき、サブミラーで反射するＡＦ用被写体光の進行方向がミラーボックス下面と直交しない一眼レフカメラにおいて、ミラーボックスに支持されるＡＦ用モジュールの位置調節方向をＡＦ用被写体光の進行方向に一致させることのできるＡＦモジュール取付装置を得ることを目的とする。
【０００６】
【発明の概要】
本発明は、従来ミラーボックス下面に直接取り付けられていたＡＦモジュールを、該ミラーボックスとは別体の取付ブラケットを介して取り付けるという着眼によって完成されたものである。
【０００７】
すなわち、本発明は、クイックリターンミラーの撮影光軸付近にハーフミラー部を設け、このハーフミラー部を透過したＡＦ用被写体光をサブミラーを介してミラーボックス下面に取付固定したＡＦモジュールに導く一眼レフカメラにおいて、ミラーボックスとは別体からなるＡＦモジュール取付調整枠を設け、該ＡＦモジュール取付調整枠をミラーボックス下面に固定し、ＡＦモジュールを有するＡＦモジュールユニットをこのＡＦモジュール取付調整枠に固定したことを特徴としている。
【０００８】
より具体的には、ＡＦモジュール取付調整枠には、ミラーボックス下面に固定された状態で、サブミラーを介して反射されるＡＦ用被写体光と平行な方向を向く雌ねじ穴を有する複数のガイドボスを設け、ＡＦモジュールユニットには、複数のガイドボスの雌ねじ穴に螺合する固定調整ねじを支持するねじ座を設けて、この固定調整ねじの軸とＡＦモジュールの入射光軸とを平行にしてＡＦモジュールを支持し、さらに複数のガイドボスとねじ座との間に圧縮ばねを挿入することが好ましい。
【０００９】
本発明のＡＦモジュール取付装置は、サブミラーにより反射されるＡＦ用被写体光が撮影光軸と直交する場合にも適用可能であるが、実際には撮影光軸に対して直交していない場合に適用して有用である。
【００１０】
【発明の実施形態】
一眼レフカメラのミラーボックス１０は、図１、図２に示すように、略直方体状をしていて、その前面に撮影レンズ用マウント（開口）１１、後面にフォーカルプレンシャッタ（撮影）用開口１２、上面にファインダ用開口１３、下面にＡＦモジュール用開口１４がそれぞれ形成されている。側面には、メイン（クイックリターン）ミラー２０（図３）用の回動支点穴１５が設けられ、下面にはＡＦモジュール用開口１４の周囲に位置させて、ＡＦモジュール取付調整枠３０の固定穴１６が設けられている。
【００１１】
メインミラー２０は、周知のように、観察位置では撮影光軸Ｘに対して略４５゜をなす観察位置にあって撮影レンズを透過した被写体光をファインダ光学系に与え、撮影時には、回動支点穴１５を中心に跳ね上がって撮影光路内から退避し、被写体光をフォーカルプレンシャッタを介してフィルムに与える。このメインミラー２０の一部には、ハーフミラー部が形成されている。
【００１２】
一方、メインミラー２０の背面には、ミラーシート２０ａに軸２１ａで回動可能に枢着されたサブミラー２１が位置している。このサブミラー２１は、メインミラー２０の観察位置では、メインミラー２０のハーフミラー部を透過したＡＦ用被写体光を下部前方に向けて反射屈曲する。一方、メインミラー２０の撮影位置では該メインミラー２０のハーフミラー部背面に密着して、ファインダ光学系からの光がメインミラー２０のハーフミラー部から入射するのを防止する。このようなメインミラー２０とサブミラー２１の具体的構造は周知である。サブミラー２１の観察状態における角度は、該サブミラー２１で反射したＡＦ用被写体光の方向Ｘ’が撮影光軸Ｘと直交せず、前方に傾斜するように定められている。このようにサブミラー２１の観察位置での角度を定めることで、サブミラー２１とフォーカルプレンシャッタとの干渉を防ぐことができる。
【００１３】
そして、本実施形態では、サブミラー２１で反射したＡＦ用被写体光を入射させるＡＦモジュールユニット（ケース）４０を、直接ミラーボックス１０の下面に取り付けることなく、ＡＦモジュール取付調整枠３０を介して取り付けている。ＡＦモジュール取付調整枠３０は、図１に明らかなように、ＡＦモジュール用開口１４の周囲に位置するコ字状をしていて、ミラーボックス１０側の３個の固定穴１６に対応する３個の固定ねじ穴３１を有している。また、その下面には、３個のガイドボス３２が突出形成されている。各ガイドボス３２は雌ねじ穴３２ａを有しており、この雌ねじ穴３２ａの軸線は、固定ねじ穴３１を介してＡＦモジュール取付調整枠３０をミラーボックス１０の下面に固定したとき、サブミラー２１で反射したＡＦ用被写体光の方向Ｘ’と平行な方向を向く。
【００１４】
ＡＦモジュールユニット４０は、ケーシング４１内にＡＦモジュール４２を支持している。ＡＦモジュール４２は、ＡＦ用被写体光を受けて焦点情報（デフォーカス情報）を得る周知のモジュールで、第１コンデンサレンズ４２ａ、反射ミラー４２ｂ、第２コンデンサレンズ４２ｃ、マスク４２ｄ、セパレータレンズ４２ｅ及びラインセンサ４２ｆを有している。この第１コンデンサレンズ４２ａの光軸をＡＦモジュール４２の入射光軸と定義する。このＡＦモジュール４２は、位相差法によりＡＦ用被写体光から被写体の焦点情報（デフォーカス情報）を得る周知のモジュールであり、得られた焦点情報により撮影レンズが焦点位置に駆動される。
【００１５】
ケーシング４１には、ＡＦモジュール取付調整枠３０の各ガイドボス３２（雌ねじ穴３２ａ）に螺合される固定調整ねじ４３を支持する（螺合させた）ねじ座４４が形成されている。このねじ座４４に支持された固定調整ねじ４３の軸線方向と、ＡＦモジュール４２の入射光軸とは平行である。そして、ねじ座４４とガイドボス３２との間には、固定調整ねじ４３の周囲に位置する圧縮ばね４５が位置している。
【００１６】
上記構成の本ＡＦモジュール取付装置は、ミラーボックス１０の下面の各固定穴１６にＡＦモジュール取付調整枠３０の固定ねじ穴３１を合致させて固定ねじで固定する。この固定状態で、ガイドボス３２の雌ねじ穴３２ａの軸線は、サブミラー２１で反射したＡＦ用被写体光の方向Ｘ’と平行な方向を向く。次に、ＡＦモジュールユニット４０の各ねじ座４４に支持されている固定調整ねじ４３を各雌ねじ穴３２ａに螺合させる。このとき、圧縮ばね４５の力によりねじ座４４はガイドボス３２から離れようとする力を受けるため、固定調整ねじ４３の任意の螺合位置で停止させ、調整後の位置を保持することができる。そして、各固定調整ねじ４３の軸線方向とＡＦモジュール４２の入射光軸とは平行であるから、３個のねじ座４４の螺合位置を調整しても、基本的なＡＦモジュール４２の方向は損なわれず、３個のねじ座４４の螺合位置を同時に調整することにより、ＡＦモジュール４２のＸ’方向位置を調整することができ、また、３個のねじ座４４の螺合位置の微妙な調整により、ＡＦモジュール４２の入射光軸の方向を正しくＸ’の方向に一致させることができる。
【００１７】
また、ミラーボックス１０の固定穴１６は従来ＡＦモジュールユニットを直接取り付けるために設けられているものをそのまま利用することができ、従来のミラーボックス１０をそのまま利用することができる。すなわち、本実施形態のＡＦモジュール取付固定装置は、ＡＦモジュールユニット４０を新たに設計する点を除けば、ＡＦモジュール取付調整枠３０を付加するだけでよく、大きなコストアップを招くことがない。
【００１８】
以上のＡＦモジュールユニット４０のＡＦモジュール４２は、第１コンデンサレンズ４２ａの光軸を反射ミラー４２ｂで曲折しており、ＡＦモジュール４２（ＡＦモジュールユニット４０）の大きさを小さくすることができるという利点があるが、カメラボディ形状等に応じて、反射ミラー４２ｂを置くことなく展開した形としてもよい。
【００１９】
【発明の効果】
本発明によれば、サブミラーで反射するＡＦ用被写体光の進行方向がミラーボックス下面と直交しない一眼レフカメラにおいて、ミラーボックスに支持されるＡＦ用モジュールの位置調節方向をＡＦ用被写体光の進行方向に一致させることのできるＡＦモジュール取付装置が得られる。
【図面の簡単な説明】
【図１】本発明による一眼レフカメラのＡＦモジュール取付装置の一実施形態を示す要部の分解斜視図である。
【図２】同組立状態の側面図である。
【図３】メインミラー、サブミラー及びＡＦモジュールの光路図である。
【符号の説明】
１０  ミラーボックス
１４  ＡＦモジュール用開口
１５  回動支点穴
１６  固定穴
２０  メイン（クイックリターン）ミラー
２１  サブミラー
３０  ＡＦモジュール取付調整枠
３１  固定ねじ穴
３２  ガイドボス
４０  ＡＦモジュールユニット
４１  ケーシング
４２  ＡＦモジュール
４２  第１コンデンサレンズ
４２ａ  入射光軸
４３  固定調整ねじ
４４  ねじ座
４５  圧縮ばね
【図１】
2004157212.tif 000003
【図２】
2004157212.tif 000004
【図３】
2004157212.tif 000005
【手続補正書】
【提出日】平成15年11月17日(2003.11.17)
【手続補正１】
【補正対象書類名】明細書
【補正対象項目名】００１５
【補正方法】変更
【補正の内容】
【００１５】
ケーシング４１には、ＡＦモジュール取付調整枠３０の各ガイドボス３２（雌ねじ穴３２ａ）に螺合される固定調整ねじ４３を支持するねじ座４４が形成されている。このねじ座４４に支持された固定調整ねじ４３の軸線方向と、ＡＦモジュール４２の入射光軸とは平行である。そして、ねじ座４４とガイドボス３２との間には、固定調整ねじ４３の周囲に位置する圧縮ばね４５が位置している。